(57)【要約】【課題】車載機が受信した広告情報を車外で活用することができるようにする。【解決手段】駐車場の入口にＤＳＲＣの路側無線機１を設置し、駐車場に入る車両に搭載された車載機２に小売業者のパソコン４から情報サーバ３を介して送られてきた広告情報を送信する。車載機２は受信した情報をカーナビ装置８の本体１２にダウンロードし、本体１２の表示器１１にダウンロードした情報を表示する。本体１２は、車両ＶＥから取り外すことができるので、車両ＶＥから降りる際に、本体１２を車両ＶＥから取り外して携帯する。そして、商店などで、その商店の広告情報を表示器１１に表示して店の人に見せると、所定のサービスを受けることができる。【選択図】　図１
2004030389.tif 000002
【特許請求の範囲】
【請求項１】
駐車場に設置され広告情報を送信するスポット無線通信機と、車両に搭載され前記スポット無線通信機から送信された広告情報を受信する車載機と、この車載機が受信した情報をダウンロード可能で当該ダウンロードした情報を表示する表示部を有する携帯機器とを備え、前記広告情報の送信を依頼した者は前記携帯機器の表示部に表示された広告情報が自身の広告情報であるとき、その携帯機器の携帯者に特典を与えることを特徴とする広告情報提供システム。
【請求項２】
情報サーバを備え、前記スポット無線通信機からの広告情報の送信を依頼する者は、前記広告情報を前記情報サーバに送信し、前記情報サーバは受信した広告情報を前記スポット無線通信機に送信することを特徴とする請求項１記載の広告情報提供システム。
【請求項３】
前記広告情報を送信する依頼者は広告情報と共に掲載開始日時、掲載有効期間の情報を送信し、前記情報サーバは掲載開始日時と掲載有効期間の情報により前記スポット無線通信機に送信する広告情報を選択することを特徴とする請求項２記載の広告情報提供システム。
【発明の詳細な説明】
【０００１】
【発明の属する技術分野】
本発明は無線通信による車両向けの広告情報提供システムに関する。
【０００２】
【従来の技術】
有料道路の料金支払いを自動的に行うＥＴＣ（Ｅｌｅｃｔｒｏｎｉｃ　Ｔｏｏｌ　Ｃｏｌｌｅｃｔｉｏｎ）では、車両と料金所とを双方向で結びつける無線通信システムとしてＤＳＲＣ（Ｄｅｄｉｃａｔｅｄ　Ｓｈｏｒｔ　Ｒａｎｇｅ　Ｃｏｍｍｕｎｉｃａｔｉｏｎ）が使用されている。
このＤＳＲＣは、車載機と路側通信機が対等に電波を発射し合うことから、高い信頼性があり、また、車載機にも発振器があることから、道路周囲の伝播干渉や妨害を受け難く、しかも、同時に送信・受信を行う全二重通信方式を可能としているため、情報伝送を効率的に行うことができる。
このようなＥＴＣは、多様なアプリケーションへの対応が期待されており、その一例として特開２００１−１０１５７８公報では、駐車場に入って来る車両に広告情報を送信し、カーナビのディスプレイに表示するシステムが提案されている。
【０００３】
【発明が解決しようとする課題】
しかしながら、上記の広告情報提供システムでは、路側通信機から車載機が受信した情報は、車外に持ち出すことができないため、広告情報の利用性が低く、広告情報提供システムとしての活用度が悪い。
本発明は上記事情に鑑みてなされたものであり、その目的は、車載機が受信した広告情報を車外で活用することができ、広告情報を効果的に利用することができる広告情報システムを提供することにある。
【０００４】
【課題を解決するための手段】
上記の目的を達成するために、請求項１の発明は、駐車場に設置され広告情報を送信するスポット無線通信機と、車両に搭載され前記スポット無線通信機から送信された広告情報を受信する車載機と、この車載機が受信した情報をダウンロード可能で当該ダウンロードした情報を表示する表示部を有する携帯機器とを備え、前記広告情報の送信を依頼した者は前記携帯機器の表示部に表示された広告情報が自身の広告情報であるとき、その携帯機器の携帯者に特典を与えることを特徴とする。
【０００５】
この構成によれば、駐車場の経営者は広告情報を流すことで、その広告情報の提供者（多くは小売業者）からコマーシャル料を受け取ることができる。また、顧客は、広告情報を携帯機器にダウンロードし、その携帯機器の表示器に広告情報を表示して当該広告情報の提供者（多くは小売業者）に提示すると、その店から得点が与えられるので、買い物をするときには、その駐車場を利用するようになる。このため、広告情報の提供者（多くは小売業者）は売り上げ増となり、また、顧客はその駐車場を利用すると、小売店から特典を受けるメリットがあるので、再び来るときには、その駐車場に駐車するようになる。このように、駐車場の経営者、小売店、顧客の三者に夫々のメリットがあるので、本発明に係る広告情報提供システムを積極的に利用するようになる。
【０００６】
請求項２の発明は、スポット無線通信機からの広告情報の送信を依頼する例えば小売業者と駐車場のスポット無線通信機との間に情報サーバが設けられているので、小売業者は、情報サーバに広告情報を送信することで、顧客に流したい情報の更新を容易に行うことができる。
【０００７】
請求項３の発明によれば、広告情報と共に掲載開始日時、掲載有効期間の情報を情報サーバに送信すると、情報サーバは掲載開始日時と掲載有効期間の情報によりスポット無線通信機に送信する広告情報を選択するので、送信する広告情報を予め情報サーバに登録しておくことで、時期を失することなく広告情報を流すことができる。
【０００８】
【発明の実施の形態】
以下、本発明をカーナビ装置に適用した一実施例につき図面を参照しながら説明する。
図１に示す広告情報提供システムは、スポット無線通信機としての路側無線機１と、車両ＶＥ（図２、図３参照）に搭載されＤＳＲＣに基づく双方向通信が可能な車載機２とを備えている。また、この広告情報提供システムは、路側通信機１と通信可能な情報サーバ３を含んでいる。
【０００９】
情報サーバ３には、この広告情報提供システムによる広告を希望する者（多くは小売業者であるので、以下、小売業者と称する。）のパソコン４がインターネットなどの通信網５を介して接続できるようになっており、このパソコン４から希望する広告情報などを情報サーバ３に送信する。
【００１０】
この広告情報の中には、小売店の宣伝広告情報は勿論のこと、「この商品は＊時から３０分間に限り、○割引です。」といったイベント情報や「この広告を見せると、割り引きます。」といった割引情報などの特典情報を含む。
【００１１】
この広告情報の送信時、パソコン４からは同時に広告情報の掲載（送信）開始日時と掲載有効期間の掲載期間情報、店の位置を示す地図などの付加情報などを通信網５を通じて情報サーバ３に送信することができるようになっている。そして、情報サーバ３は、自身が有する計時手段によって常時時刻（暦日を含む）を計時しており、その計時時刻が掲載開始日時をカウントすると、広告情報、付加情報などを情報サーバ３に送信してそれら情報を路側通信機１から送信させ、掲載有効期間を経過すると、それら情報の送信を停止させるようになっている。
【００１２】
上記路側無線機１は、図２に示すように、駐車場Ｐの入口ゲートＩＧに設けられ、駐車場Ｐに入場する車両ＶＥの車載機２と双方向通信を行って、車載機２に広告情報などを送信すると共に、車載機２から車両ＶＥのＩＤ情報などを取得する。
【００１３】
ここで駐車場Ｐのシステムは次のようなものである。すなわち、車両ＶＥの入庫時に、駐車場Ｐの入口ゲートＩＧの手前に設置された発券機６から駐車券（図示せず）を受け取る。この駐車券には、磁気ストライプが設けられており、この磁気ストライプに当該駐車券のＩＤ番号および入場時刻などが記録される。そして、出庫時に、図３に示すように、駐車場Ｐの出口ゲートＯＧの手前に設置された料金支払機７に駐車券を差し込むと、駐車時間に応じた料金が表示されるので、その表示された金額を支払うというものである。
【００１４】
駐車場Ｐの料金支払機７は、情報サーバ３に接続されており、情報サーバ３から駐車券のＩＤ番号と割引条件とが指示されると、そのＩＤ番号の駐車券について指示されたとおりに割引くようになっている。なお、この実施例では、情報サーバ３は駐車場経営者の運営によるものとする。
【００１５】
さて、車両ＶＥには、カーナビ装置８が搭載されている。このカーナビ装置８は、制御部９、記憶装置１０および液晶からなる表示器１１などを備えた本体１２と、地図データ記憶部１３と、ＧＰＳ受信機および走行距離センサなどからなる位置検出部１４などから構成されている。そして、本体１２は、車両ＶＥに対し取り外し可能になっていて、車外へ持ち出すことができるようになっている。従って、カーナビ装置８の本体１２は、携帯機器として機能するようになっている。
【００１６】
このようなカーナビ装置８の本体１２は、車載機２に接続され、当該車載機２が路側無線機１から受信した広告情報などのデータをダウンロードできるようになっている。なお、本体１２は、車載機２、地図データ記憶部１３および位置検出部１４とコネクタ付きのコードによって電気的に接続されており、本体１２の取り外し時には、コネクタを解くことによってそれら車載機２、地図データ記憶部１３および位置検出部１４との接続を解くことができるようになっている。
【００１７】
次に上記構成の作用を図４に示すシーケンスを参照しながら説明する。
広告情報提供システムの利用会員である小売店のパソコン４から広告情報が付加情報などと一緒に情報サーバ３に送られると、情報サーバ３は、有効期間内にある広告情報をこれに付随している付加情報などと共に路側無線機１に送信する。そして、路側無線機１は、情報サーバ３から送信された各小売店の広告情報や付加情報などを記憶装置に格納しておく。
【００１８】
駐車場Ｐに駐車する車両ＶＥが駐車券を受け取るために発券機６の近くに来ると、路側無線機１は車載機２からの応答によって車両ＶＥが来たことを検出する。そして、路側無線機１は、その記憶装置に格納してある各小売店の広告情報や付加情報などを送信する。
【００１９】
車載機２は、その路側無線機１から送信されて来た電波を受信して各小売店の広告情報や付加情報などを取得し、その取得した広告情報や付加情報などをカーナビ装置８にダウンロードする。カーナビ装置８は、そのダウンロードされた情報を記憶装置１０に格納すると共に、表示器１１に表示する。
【００２０】
カーナビ装置８にダウンロードされた各小売店の情報のうち、目的とする小売店の情報に図４に示すようなタイムサービス情報が含まれていたとする。顧客（運転者）は車両ＶＥから降りる際、カーナビ装置８の本体１２を車両ＶＥから取り外して携帯する。そして、これから行こうとする小売店の地図情報があれば、それを表示器１１に表示してその地図を目当ての小売店まで行く。
【００２１】
小売店で買い物をし、タイムサービスを受けることができる時刻であれば、レジで表示器４の画面を図４に示すタイムサービス情報の画面に切り替えると、所定のサービスを受けることができる。その際、例えば、レジの担当者の「駐車場のサービスも受けられます。」という言葉に従って駐車券を提示すると、小売店では、その駐車券の磁気ストライプから当該駐車券のＩＤ番号を読み取ってそのＩＤ番号の駐車券については１時間分の駐車料金を割り引く旨の割引情報を送信する。情報サーバ３は、この割引情報を駐車場Ｐの料金支払機７に送信する。
【００２２】
買い物をした後、車両ＶＥに乗り込んでカーナビ装置８の本体１２を元の通りに車両ＶＥに取り付け、そして駐車場Ｐから出る際に料金支払機７に駐車券を通すと、駐車料金として１時間分無料となった額が表示される。そして、その表示された料金を料金支払機７に入れると、出口ゲートＯＧが開くので、車両ＶＥを駐車場Ｐから出す。
【００２３】
このように本実施例によれば、車載機２が受信した広告情報などを携帯可能なカーナビ装置８の本体１２にダウンロードするので、本体１を携帯することにより、路側通信機１から取得した情報を車両ＶＥの外でも利用すること、例えばこれから行こうとする小売店までの案内地図を表示器１１に表示して案内させることができる。
【００２４】
そして、携帯した本体１の表示器１１に取得した情報を表示して小売店側に提示すると、予め定められた所定のサービスを受けることができる。このため、以後、買い物をする場合には、前と同じように、その駐車場Ｐを利用してその小売店で買い物をしようとする意思を持つようになる。
【００２５】
また、小売業者は、路側通信機１を通じて流される広告情報によって顧客数の増加、売り上げの増加が望み得るし、駐車場Ｐの経営者は小売業者から広告情報を流すことの見返りとしてコマーシャル料を得ることができると共に、何回も来場する顧客が増加することによる駐車量増加も望み得る。
【００２６】
なお、本発明は上記し且つ図面に示す実施例に限定されるものではなく、以下のような拡張或は変更が可能である。
顧客が受ける特典としては、一定の金額の買い物をするとその度に一定のポイントを小売店から与えられ、このポイントの累計に応じたサービスを受けられるようにしたり、次回の買い物のときの割引券を小売店から受け取ったりするなど種々のものが考えられる。この場合のポイントや割引券などは、携帯機器の記憶装置に記憶させておくものであっても良い。
【００２７】
車載機から携帯機器への情報のダウンロードはメモリスティックなどの記憶媒体を用いるものであっても良い。
携帯機器としては、車両ＶＥから取り外し可能なカーナビ装置８の本体１２に限られず、広告情報などを記憶する記憶手段および広告情報などを表示するための表示器を持った移動電話機、ＰＤＡ、携帯可能なパソコンなどであっても良い。
【図面の簡単な説明】
【図１】本発明の一実施例を示すブロック図
【図２】駐車場の入口ゲート部分を示す側面図
【図３】駐車場の出口ゲート部分を示す側面図
【図４】表示器に表示された情報の一例を示す図
【図５】シーケンス
【符号の説明】
図中、１は路側無線機（スポット無線通信部）、２は車載機、３は情報サーバ、６は発券機、７は料金支払機、８はカーナビ装置、１１は表示器、１２は本体（携帯機器）である。
【図１】
2004030389.tif 000003
【図２】
2004030389.tif 000004
【図３】
2004030389.tif 000005
【図４】
2004030389.tif 000006
【図５】
2004030389.tif 000007